(57)【要約】  巻取温度制御システムは、下位コントローラ（６）、制御ネットワーク（４）、ＣＴＣ計算機（１０）を備える。下位コントローラ（６）は、圧延計算機（５）から、情報ネットワーク（３）を介して、被圧延材（１）に関する材料情報と仕上設定情報とコイラー設定情報とを取得する。ＣＴＣ計算機（１０）のトラッキング部（１１）は、目的被圧延材が仕上圧延機（２３）よりも上流にある場合に、下位コントローラ（６）から制御ネットワーク（４）へ出力された目的被圧延材に関する材料情報と仕上設定情報とコイラー設定情報とを順に入力し、設定計算要求を出力する。ＣＴＣ計算機（１０）のＣＴＣ設定計算部（１２）は、設定計算要求を入力して、目的被圧延材に関する材料情報と仕上設定情報とコイラー設定情報とに基づいて、目的被圧延材を冷却するためのＣＴＣ設定情報を算出する設定計算を実施する。
2019021470.tif 000002
【特許請求の範囲】
【請求項１】
被圧延材を圧延する仕上圧延機と、圧延された前記被圧延材を冷却する冷却装置が設置された搬送テーブルと、冷却された前記被圧延材を巻き取るコイラーとを有する熱間圧延ラインに用いられる巻取温度制御システムであって、
前記仕上圧延機を制御するための仕上設定情報と前記コイラーを制御するためのコイラー設定情報とを計算する圧延計算機から、情報ネットワークを介して、前記被圧延材に関する材料情報と前記仕上設定情報と前記コイラー設定情報とを取得するプログラマブルロジックコントローラと、
前記冷却装置を制御するためのＣＴＣ設定情報を計算する巻取温度制御計算機と、
コモンメモリを有するノードを複数有し、該複数のノード間での周期的な同報伝送によるコモンメモリ上のデータの同期によって、１のノードに接続する前記プログラマブルロジックコントローラと他の１のノードに接続する前記巻取温度制御計算機との間で情報を送受信する制御ネットワークと、を備え、
前記巻取温度制御計算機は、
巻取温度制御の対象である目的被圧延材が前記仕上圧延機よりも上流にある場合に、前記プログラマブルロジックコントローラから前記制御ネットワークへ出力された前記目的被圧延材に関する前記材料情報と前記仕上設定情報と前記コイラー設定情報とを順に入力し、設定計算要求を出力するトラッキング部と、
前記設定計算要求を入力して、前記目的被圧延材に関する前記材料情報と前記仕上設定情報と前記コイラー設定情報とに基づいて、前記目的被圧延材を冷却するための前記ＣＴＣ設定情報を算出する設定計算を実施するＣＴＣ設定計算部と、
を備えることを特徴とする巻取温度制御システム。
【請求項２】
前記巻取温度制御計算機と前記圧延計算機とは前記情報ネットワークで直接接続しないこと、
を特徴とする請求項１記載の巻取温度制御システム。
【発明の詳細な説明】
【技術分野】
【０００１】
この発明は、巻取温度制御システムに係り、特に、熱間圧延ラインの巻取温度制御システムに関する。
【背景技術】
【０００２】
熱間圧延ラインは、粗圧延機、仕上圧延機、搬送テーブル、コイラー等の設備を備える。粗圧延機および仕上圧延機で圧延された金属材料等の被圧延材は、搬送テーブルに設置された冷却装置で冷却され、コイラーにより巻き取られる。【０００３】
熱間圧延における品質制御の１つに被圧延材の温度制御がある。被圧延材の温度制御の主なものとしては、仕上圧延機出側における被圧延材の温度を制御する仕上出側温度制御と、コイラー前における被圧延材の温度を制御する巻取温度制御とがある。【０００４】
巻取温度制御（Ｃｏｉｌｉｎｇ  Ｔｅｍｐｅｒａｔｕｒｅ  Ｃｏｎｔｒｏｌ、以下ＣＴＣと記す）では、搬送テーブルに設置された冷却装置の注水量を調節し、巻取前における被圧延材の温度を目標温度に制御することが目的である。材料の強度、靭性等の材質は、仕上圧延機からコイラーまでの冷却によって決定される。そのため、巻取温度制御は材質の点から重要である。【０００５】
巻取温度制御のためのＣＴＣ設定情報は、巻取温度制御計算機（ＣＴＣ計算機）における設定計算（ｓｅｔ  ｕｐ  ｃａｌｃｕｌａｔｉｏｎ）により算出される。設定計算とは、圧延機設定諸元のうち、理論的に計算できる部分を数式モデル化して数値計算することをいう。【０００６】
従来のＣＴＣ計算機においては、ＣＴＣ設定計算に必要な情報（例えば、材料情報、トラッキング情報、仕上設定情報、コイラー設定情報、実績情報など）は、仕上圧延機やコイラーに関する設定計算を実施する圧延計算機から、あらかじめ決められたタイミングまでに取得している必要がある。特許文献１には、圧延計算機とＣＴＣ計算機とが直接接続された構成が開示されており、ＣＴＣ計算機は、圧延計算機からＣＴＣ設定計算に必要な情報をあらかじめ得ている。
【先行技術文献】
【特許文献】
【０００７】
【特許文献１】日本特開２００３−３９１０９号公報
【発明の概要】
【発明が解決しようとする課題】
【０００８】
図８は、従来の巻取温度制御システムの構成を示す図である。ＣＴＣ計算機は圧延計算機５と情報ネットワーク３で直接接続され、ＣＴＣ設定計算に必要な情報を圧延計算機５から直接受信していた。【０００９】
従来のＣＴＣ計算機は、熱間圧延プラントが建設される際に、圧延計算機と同一時期に同一メーカーにより導入され、そのメーカーが試験・調整を行うことが大半である。そのため、数年〜十数年後に問題となる設備の老朽化、陳腐化を解決するために設備を更新する際には、両方の計算機が同時に更新されることが多く、更新費用の高額化、更新期間の長期化という問題があった。
【００１０】
また、ＣＴＣ計算機と圧延計算機との間の情報の送受信が密接で、両方の計算機を熟知したプラント建設時のメーカーに頼らざるを得ず、メーカー選定の自由度が低く、コスト削減の妨げになるという問題があった。【００１１】
また、ＣＴＣ計算機のみを更新しようとしても、既存の圧延計算機と更新するＣＴＣ計算機との間のデータインターフェースのデータ内容、データ形式、送受信タイミングの整合性をとるために、既存の圧延計算機に大幅な改造が必要になる問題があった。また、既設の圧延計算機の処理能力の制約や改造作業を実施する人材の制約により、改造が困難な場合もある。【００１２】
本発明は、上述のような課題を解決するためになされたもので、既存の圧延計算機を改造することなく、ＣＴＣ計算機のみを更新することができ、製造コストや試験コストを削減可能な巻取温度制御システムを提供することを目的とする。
【課題を解決するための手段】
【００１３】
上記の目的を達成するため、巻取温度制御システムは以下のように構成される。巻取温度制御システムは熱間圧延ラインに用いられる。熱間圧延ラインは、被圧延材を圧延する仕上圧延機と、圧延された被圧延材を冷却する冷却装置が設置された搬送テーブルと、冷却された被圧延材を巻き取るコイラーとを有する。【００１４】
巻取温度制御システムは、プログラマブルロジックコントローラと、巻取温度制御計算機（ＣＴＣ計算機）と、制御ネットワークとを備える。【００１５】
プログラマブルロジックコントローラは、仕上圧延機を制御するための仕上設定情報とコイラーを制御するためのコイラー設定情報とを計算する圧延計算機から、情報ネットワークを介して、被圧延材に関する材料情報と仕上設定情報とコイラー設定情報とを取得する。情報ネットワークは、制御ネットワークとは異なるネットワークであり、非周期的にデータを伝送する。【００１６】
制御ネットワークは、コモンメモリを有するノードを複数有し、該複数のノード間での周期的な同報伝送によるコモンメモリ上のデータの同期によって、１のノードに接続するプログラマブルロジックコントローラと他の１のノードに接続する巻取温度制御計算機（ＣＴＣ計算機）との間で情報を送受信する。【００１７】
巻取温度制御計算機（ＣＴＣ計算機）は、トラッキング部とＣＴＣ設定計算部とを備え、冷却装置を制御するためのＣＴＣ設定情報を計算する。トラッキング部は、巻取温度制御の対象である目的被圧延材が仕上圧延機よりも上流にある場合に、プログラマブルロジックコントローラから制御ネットワークへ出力された目的被圧延材に関する材料情報と仕上設定情報とコイラー設定情報とを順に入力し、設定計算要求を出力する。ＣＴＣ設定計算部は、設定計算要求を入力して、目的被圧延材に関する材料情報と仕上設定情報とコイラー設定情報とに基づいて、目的被圧延材を冷却するためのＣＴＣ設定情報を算出する設定計算を実施する。【００１８】
このように、ＣＴＣ計算機は、ＣＴＣ設定計算に必要な情報を、定周期で制御情報が流れている制御ネットワークを介してプログラマブルロジックコントローラから入手できる。このような構成によれば、ＣＴＣ計算機と圧延計算機との直接的な関わりが無いため、メーカー選定の自由度が向上し、ＣＴＣ計算機を単独で更新可能である。ＣＴＣ計算機のみを更新できるようになれば、少ない設備投資で短期間で最新の計算機を利用でき、コイルの品質を向上させることができる。また、圧延計算機とＣＴＣ計算機の更新時期を別々にずらして設定できる。そのため、作業費用、作業工数の集中を避けて更新作業を計画的に実施できる。
【発明の効果】
【００１９】
本実施形態に係る巻取温度制御システムによれば、ＣＴＣ設定計算に必要な情報をプログラマブルロジックコントローラから入手でき、ＣＴＣ計算機と圧延計算機との密な接続を不要にできる。そのため、既存の圧延計算機を改造することなく、ＣＴＣ計算機のみを更新することができ、製造コスト、試験コストを削減可能である。
【図面の簡単な説明】
【００２０】
【図１】熱間圧延ラインの構成を示す概略図である。
【図２】実施の形態１に係る巻取温度制御システムの概略図である。
【図３】制御ネットワークにおけるスキャン伝送について説明するための図である。
【図４】巻取温度制御システムの動作を説明するための図である。
【図５】実施の形態１に係る巻取温度制御システムの変形例を示す図である。
【図６】実施の形態１に係る巻取温度制御システムの変形例を示す図である。
【図７】ＣＴＣ計算機が有する処理回路のハードウェア構成例を示すブロック図である。
【図８】従来の巻取温度制御システムの構成を示す図である。
【発明を実施するための形態】
【００２１】
以下、図面を参照して本発明の実施の形態について詳細に説明する。尚、各図において共通する要素には、同一の符号を付して重複する説明を省略する。
【００２２】
実施の形態１．
（熱間圧延ライン）
図１は、実施の形態１に係る熱間圧延ラインの構成を示す概略図である。図１において、金属材料等の被圧延材１は、熱間圧延ライン２で加工される間に薄く延ばされ、材のサイズおよび温度は所望の目標値へ制御される。熱間圧延ライン２は、主な設備として、加熱炉２１、粗圧延機２２、仕上圧延機２３、搬送テーブル２４、コイラー２５を備える。
【００２３】
加熱炉２１は、被圧延材１を加熱する。加熱炉２１を出たとき、被圧延材１は、スラブと呼ばれる直方体状に成形された金属の塊である。加熱炉２１の下流には粗圧延機２２が設けられている。粗圧延機２２は１基から３基で構成されることが多い。粗圧延機２２は、被圧延材１を順方向（上流から下流へ）および逆方向（下流から上流へ）に複数回圧延する。
【００２４】
仕上圧延機２３は、粗圧延機２２の下流に設けられている。仕上圧延機２３は、複数の圧延スタンドを備え、被圧延材１を上流から下流へ一方向に圧延する。図１には７台のスタンドが描かれているが、スタンドの台数はこれに限定されるものではない。圧延スタンドは、圧延ロール、支持ロールなどを有し、上下の圧延ロールで被圧延材１を圧延する。仕上圧延により、被圧延材１の板厚、板幅などのサイズに関する最終品質が決定される。
【００２５】
搬送テーブル２４は、仕上圧延機２３の下流に設けられており、ランアウトテーブル（ＲＯＴ）と呼ばれる。搬送テーブル２４は、多数のロールを並べて回転させ、被圧延材１を搬送できる構造を有する。搬送テーブル２４には、圧延された被圧延材１を冷却する冷却装置２４１が設置されている。冷却装置２４１は、後述するＣＴＣ設定情報に基づいて仕上圧延機２３で圧延された被圧延材１へ注水する。被圧延材１は、冷却装置２４１により目標温度まで冷却される。
【００２６】
コイラー２５は、搬送テーブル２４の下流に設けられている。搬送テーブル２４にて冷却された被圧延材１は、ピンチロールで下方にガイドされつつ、コイラー２５に巻き取られる。
【００２７】
また、熱間圧延ライン２は、仕上圧延機２３の出側において被圧延材１の仕上圧延温度（Ｆｉｎｉｓｈｅｒ  Ｄｅｌｉｖｅｒｙ  Ｔｅｍｐｅｒａｔｕｒｅ）を測定するためのＦＤＴセンサ２６を備える。また、搬送テーブル２４の中間位置において被圧延材１の中間冷却温度（Ｍｉｄｄｌｅ  Ｃｏｏｌｉｎｇ  Ｔｅｍｐｅｒａｔｕｒｅ）を測定するＭＴセンサ２７を備える。また、搬送テーブル２４の出側に設けられ、巻取前の被圧延材１のコイル巻取温度（Ｃｏｉｌｉｎｇ  Ｔｅｍｐｅｒａｔｕｒｅ）を測定するＣＴセンサ２８を備える。また、コイラー２５の回転速度を測定する速度センサ２９、コイル径を測定するセンサ３０を備える。その他、仕上圧延機２３の各圧延スタンドのロール回転速度を測定する速度センサ（図示省略）、ＲＯＴ水温を測定する温度センサ（図示省略）などの各種センサを備える。
【００２８】
（巻取温度制御システム）
図２を参照して熱間圧延ライン２に用いられる巻取温度制御システムについて説明する。図２は、本発明の実施の形態１に係る巻取温度制御システムの概略図である。
【００２９】
巻取温度制御システムは、情報ネットワーク３、制御ネットワーク４、圧延計算機５、下位コントローラ６、設備機器７、冷却水スプレーバルブ８、計算機ＩＦ装置９、巻取温度制御計算機（以下、ＣＴＣ計算機と記す）１０を備える。
【００３０】
まず、情報ネットワーク３と制御ネットワーク４について説明する。情報ネットワーク３は、パケットを伝送する一般的なネットワークプロトコル（ＴＣＰ／ＩＰまたはＵＤＰ／ＩＰ）で通信する。情報ネットワーク３の伝送は、非周期的なデータ伝送であり、任意のデータを任意のタイミングで伝達する。
【００３１】
制御ネットワーク４は、高信頼性とリアルタイム性を実現するプラント制御用ネットワークである。具体的には、制御ネットワーク４は、コモンメモリ方式によるスキャン伝送（周期的な同報伝送）で制御データの同時性を確保可能なネットワークである。制御ネットワーク４は、情報ネットワーク３に比して高速かつ定周期でデータを伝送可能なネットワークである。
【００３２】
制御ネットワーク４は、複数のノード（ノードＡ４１〜ノードＤ４４）を備える。ノードＡ４１は下位コントローラ６に、ノードＢ４２は計算機ＩＦ装置９（広義にはＣＴＣ計算機１０）に、ノードＣ４３は設備機器７に、ノードＤ４４は冷却水スプレーバルブ８に接続している。なお、ノード数はこれに限定されるものではない。
【００３３】
図３は、制御ネットワーク４におけるスキャン伝送について説明するための図である。図３に示すように、複数のノードＡ４１〜ノードＤ４４は、それぞれ同一構成のコモンメモリ４１０〜４４０を有する。各コモンメモリには、下位コントローラ６の出力データが書き込まれる記憶領域、ＣＴＣ計算機１０により計算されたＣＴＣ設定情報が書き込まれる記憶領域、設備機器７の出力データ（ドライブ装置や上述した各種センサの出力データ）が書き込まれる記憶領域などが重複しないように割り当てられている。
【００３４】
各ノードは、自ノードが管理するコモンメモリ上のデータを、他のすべてのノードに周期的に同報伝送する同報伝送機能を有する。例えば、ノードＡ４１は、コモンメモリ４１０上に下位コントローラ６の出力データが書き込まれる記憶領域にあるデータを、他のすべてのノードに周期的に同報伝送して、各コモンメモリ上のデータを同期する。制御ネットワーク４は、数ｍｓｅｃ周期でスキャン伝送を実施可能である。
【００３５】
このように、制御ネットワーク４は、一般的な伝文の送受信を行う方式と異なり、コモンメモリ上の各データの記憶位置（アドレス）が予め定義されており、各接続機器から各データを参照できる。また、制御ネットワーク４には、下位コントローラ６の内部データを外部（例えば、データ収集装置）から監視できるように、下位コントローラ６から内部データが送信されており、制御ネットワーク４に接続された機器から監視・保存・検索が可能となっている。この内部データには、後述する材料情報、トラッキング情報、仕上設定情報、コイラー設定情報、実績情報が含まれる。
【００３６】
図２に戻り説明を続ける。圧延計算機５は、仕上設定情報、コイラー設定情報を算出する設定計算を実施する。仕上設定情報は、仕上圧延機２３を制御するための動作設定値を設計計算により算出した情報である。コイラー設定情報は、コイラー２５を制御するための動作設定値を設定計算により算出した情報である。仕上設定情報、コイラー設定情報、材料情報、トラッキング情報は、情報ネットワーク３を介して下位コントローラ６へ伝送される。
【００３７】
下位コントローラ６は、プログラマブルロジックコントローラである。下位コントローラ６は、非周期的にデータを伝送する情報ネットワーク３を介して、圧延計算機５に接続しているとともに、定周期で制御情報が流れている制御ネットワーク４を介して、設備機器７、冷却水スプレーバルブ８、計算機ＩＦ装置９に接続している。一般に下位コントローラ６は、その制御範囲毎、機能毎に複数のコントローラで構成されている。複数のコントローラ間のデータの通信、共有は制御ネットワーク４を介して行われている。
【００３８】
下位コントローラ６は、圧延計算機５から、情報ネットワーク３を介して、被圧延材１に関する材料情報、トラッキング情報、仕上設定情報、コイラー設定情報を取得する。また、下位コントローラ６は、被圧延材１に関する材料情報、トラッキング情報、仕上設定情報、コイラー設定情報、実績情報を制御ネットワーク４へ出力する。
【００３９】
設備機器７は、例えば、図１の仕上圧延機２３の各圧延スタンドのドライブ装置、コイラー２５のドライブ装置、上述した各種センサなどである。
【００４０】
冷却水スプレーバルブ８は、搬送テーブル２４に設置された冷却装置２４１が有する機器である。冷却装置２４１は、多数の冷却水スプレーバルブ８を有し、ＣＴＣ設定情報に基づいて冷却水スプレーバルブ８が開閉操作される。ＣＴＣ設定情報はＣＴＣ計算機１０により算出される。ＣＴＣ設定情報には、ＲＯＴバルブパターンとして、各バルブのＯＮ（注水）／ＯＦＦ（無注水）状態が設定されている。なお、冷却水スプレーバルブ８は開閉弁であっても流量制御弁であってもよい。
【００４１】
計算機ＩＦ装置９は、制御ネットワーク４とＣＴＣ計算機１０とを接続するためのインターフェース装置であって、広義にはＣＴＣ計算機１０に含まれる。計算機ＩＦ装置９は、ＣＴＣ設定情報を算出するために必要な情報（被圧延材１に関する材料情報、仕上設定情報、コイラー設定情報、トラッキング情報、および上述した各種センサから入手した実績情報）を、制御ネットワーク４から入力しＣＴＣ計算機１０へ出力する。また、計算機ＩＦ装置９は、ＣＴＣ計算機１０が計算したＣＴＣ設定情報を入力し、制御ネットワーク４へ出力する。
【００４２】
ＣＴＣ計算機１０は、計算機ＩＦ装置９および制御ネットワーク４を介して下位コントローラ６と接続している。ＣＴＣ計算機１０は、冷却装置２４１を制御するためのＣＴＣ設定情報を計算する。
【００４３】
次に、図４を参照して巻取温度制御システムの動作について説明する。本実施形態に係るＣＴＣ計算機１０は、ＣＴＣ設定計算に必要な各種情報（被圧延材１に関する材料情報、仕上設定情報、コイラー設定情報、トラッキング情報、および上述した各種センサから入手した実績情報）を、下位コントローラ６から制御ネットワーク４を介して入力する。
【００４４】
下位コントローラ６は、圧延計算機５から情報ネットワーク３を介して各種情報を受信したタイミングで、制御ネットワーク４へＣＴＣ設定計算に必要な情報を出力する。
【００４５】
トラッキング情報および実績情報は、下位コントローラ６から制御ネットワーク４へ常に出力される。ＣＴＣ計算機１０のトラッキング部１１は、制御ネットワーク４からトラッキング情報および実績情報を制御周期毎に読み込む。
【００４６】
材料情報、仕上設定情報、コイラー設定情報は順に更新されるため、トラッキング部１１は、材料情報、仕上設定情報、コイラー設定情報を順番に読み込む。
【００４７】
まず、下位コントローラ６から制御ネットワーク４へ材料情報が出力される（１）。材料情報は、鋼種や目標圧延サイズ(厚さ、幅、長さ)や目標巻取温度などの多数の制御目標値を含む。材料情報は、多数の項目に関するデータからなり、１制御周期で各ノードのすべてのデータが同期するわけではなく、各データは別々のタイミングで届く。すべてのデータが上書きされるまでは古いデータが混在しているため、ＣＴＣ計算機１０は、材料情報のすべてのデータが揃ってから読み込む必要がある。そのため、コモンメモリには材料情報のすべてのデータが揃ったときにＯＮになる読み込み指令が書き込まれる記憶領域が割り当てられている（２）。トラッキング部１１は、制御周期毎に読み込み指令のＯＮ／ＯＦＦを確認する（３）。また、トラッキング部１１は、トラッキング情報に基づいて、巻取温度制御の対象である制御予定の被圧延材１（以下、目的被圧延材と記す）の現在位置をトラッキングする。トラッキング部１１は、読み込み指令がＯＮ、かつ、目的被圧延材が仕上圧延機２３の入側よりも上流にあるタイミングで、目的被圧延材に関する材料情報を読み込む（４）。
【００４８】
仕上設定情報も、基本的に材料情報と同様の手順でＣＴＣ計算機１０に読み込まれる。まず、下位コントローラ６から制御ネットワーク４へ仕上設定情報が出力される（５）。仕上設定情報は、仕上圧延機２３の各スタンドの出側板厚やスタンド速度などの多数の制御目標値を含む。仕上設定情報は、多数の項目に関するデータからなり、１制御周期で各ノードのすべてのデータが同期するわけではなく、各データは別々のタイミングで届く。すべてのデータが上書きされるまでは古いデータが混在しているため、ＣＴＣ計算機１０は、仕上設定情報のすべてのデータが揃ってから読み込む必要がある。そのため、コモンメモリには仕上設定情報のすべてのデータが揃ったときにＯＮになる読み込み指令が書き込まれる記憶領域が割り当てられている（６）。トラッキング部１１は、制御周期毎に読み込み指令のＯＮ／ＯＦＦを確認する（７）。トラッキング部１１は、読み込み指令がＯＮ、かつ、目的被圧延材が仕上圧延機２３の入側よりも上流にあり、かつ、材料情報が読み込み済みのタイミングで、目的被圧延材に関する仕上設定情報を読み込む（８）。
【００４９】
コイラー設定情報についても基本的に材料情報や仕上設定情報と同様の手順でＣＴＣ計算機１０に読み込まれる。まず、下位コントローラ６から制御ネットワーク４へコイラー設定情報が出力される（９）。コイラー設定情報は、コイラー２５のラグ率やリード率などの多数の制御目標値を含む。コイラー設定情報は、多数の項目に関するデータからなり、１制御周期で各ノードのすべてのデータが同期するわけではなく、各データは別々のタイミングで届く。すべてのデータが上書きされるまでは古いデータが混在しているため、ＣＴＣ計算機１０は、コイラー設定情報のすべてのデータが揃ってから読み込む必要がある。そのため、コモンメモリにはコイラー設定情報のすべてのデータが揃ったときにＯＮになる読み込み指令が書き込まれる記憶領域が割り当てられている（１０）。トラッキング部１１は、制御周期毎に読み込み指令のＯＮ／ＯＦＦを確認する（１１）。トラッキング部１１は、読み込み指令がＯＮ、かつ、目的被圧延材が仕上圧延機２３の入側よりも上流にあり、かつ、材料情報および仕上設定情報が読み込み済みのタイミングで、目的被圧延材に関するコイラー設定情報を読み込む（１２）。
【００５０】
このように、トラッキング部１１は、目的被圧延材が仕上圧延機２３よりも上流にある場合に、下位コントローラ６から制御ネットワーク４へ出力された目的被圧延材に関する材料情報と仕上設定情報とコイラー設定情報とを順に入力する。その後、トラッキング部１１は、設定計算要求を出力する。
【００５１】
ＣＴＣ設定計算部１２は、設定計算要求を入力して、目的被圧延材に関する材料情報と仕上設定情報とコイラー設定情報とに基づいて、目的被圧延材を冷却するためのＣＴＣ設定情報を算出する設定計算を実施する。算出されたＣＴＣ設定情報は、各冷却水スプレーバルブ８のＯＮ（注水）／ＯＦＦ（無注水）状態を設定したＲＯＴバルブパターンを含む。ＣＴＣ設定情報は、制御ネットワーク４を介して、下位コントローラ６および／または冷却水スプレーバルブ８に伝送される。
【００５２】
実績情報は、下位コントローラ６や上述した各種センサからの温度情報、速度情報、ステータス情報を制御ネットワーク４から計算機ＩＦ装置９が取り出しＣＴＣ計算機１０へ送信する。温度情報がアナログ値であった場合、計算機ＩＦ装置９にてデジタル値に変換される。また、上述した温度センサにはチャタリングが発生する可能性があるため、計算機ＩＦ装置９にてチャタリングチェックを行う。ＣＴＣ計算機１０のダイナミック制御は、各温度センサ直下のパルスゲート信号により実施している。パルスゲート信号が存在しない場合は、計算機ＩＦ装置９が一定周期で被圧延材１の材料速度から移動距離を算出して各温度センサ直下での材料トラッキングを実施し、パルスゲート信号を発生させる。
【００５３】
（効果）
以上説明したように、本実施形態に係る巻取温度制御システムによれば、ＣＴＣ計算機１０は、ＣＴＣ設定計算に必要な情報を、定周期で制御情報が流れている制御ネットワーク４を介して下位コントローラ６から入手できる。このような構成によれば、ＣＴＣ計算機１０と圧延計算機５との直接的な関わりが無いため、メーカー選定の自由度が向上し、ＣＴＣ計算機を単独で更新可能である。ＣＴＣ計算機のみを更新できるようになれば、少ない設備投資で短期間で最新の計算機を利用でき、コイルの品質を向上させることができる。また、圧延計算機とＣＴＣ計算機の更新時期を別々にずらして設定できる。そのため、作業費用、作業工数の集中を避けて更新作業を計画的に実施できる。
【００５４】
また、下位コントローラ６は、従来から巻取温度制御の演算に必要な各種情報を圧延計算機５から受信しており、かつ、最近の制御ネットワーク４のデータ伝送高速化、大容量化により、ＣＴＣ計算機１０が下位コントローラ６から各種情報を入手しても、プラントの制御に何ら影響を与えない。
【００５５】
さらに巻取温度制御の演算に必要な各種情報は、複数設置されている下位コントローラ６間のデータ共有やデータの監視のため、制御ネットワーク４上に予め設計されたコモンメモリのアドレス上にアサインされ常に最新データとして更新されるよう設計されている。したがって、下位コントローラ６からＣＴＣ計算機１０へ各種情報を送信する場合でも新たに機能を追加変更する必要はなく、新たな作業は極めて少ない。
【００５６】
このように、ＣＴＣ計算機１０のみを更新する場合でも、既存の圧延計算機５や下位コントローラ６の改造範囲を最小限にとどめることができるので、信頼性を高めその試験調整期間を最短にすることが可能となる。
【００５７】
（変形例）
ところで、上述した実施の形態１のシステムにおいては、ＣＴＣ計算機１０は計算機ＩＦ装置９を介して制御ネットワーク４と接続しているが、高性能な処理能力を持ったＣＴＣ計算機１０では、制御ネットワーク４とのインターフェース機能を取り込むことが可能である。そのため、図５に示すように、ＣＴＣ計算機１０に計算機ＩＦ装置９の機能を包めることとしてもよい。
【００５８】
また、上述した実施の形態１のシステムでは、ＣＴＣ計算機１０は必要な情報を下位コントローラ６から入手する場合について述べた。ところで、既存の圧延計算機５が上位計算機（図示省略）から入手している圧延指示情報(ＰＤＩ：Ｐｒｉｍａｒｙ  Ｄａｔａ  Ｉｎｆｏｒｍａｔｉｏｎ)などの一部のデータについては、ＣＴＣ計算機１０の通信宛先変更などの改造は容易であるため、圧延計算機５から計算機間通信経路２０を介して受信することとしてもよい（図６）。ＰＤＩデータは、上位計算機によって設定されるデータであり、制御対象となる粗圧延機や仕上圧延機などについての各種のプリセットデータや、被圧延材１の圧延目標仕様を表すデータなどによって構成される。
【００５９】
（ハードウェア構成例）
ＣＴＣ計算機１０のハードウェア構成について図７を参照しつつ説明する。図７は、図４のＣＴＣ計算機１０が有する処理回路のハードウェア構成例を示すブロック図である。図４に示すＣＴＣ計算機１０の各部は、ＣＴＣ計算機１０が有する機能の一部を示し、各機能は処理回路により実現される。例えば、処理回路は、ＣＰＵ１０１、ＲＯＭ１０２、ＲＡＭ１０３、入出力インターフェース１０４、システムバス１０５、入力装置１０６、表示装置１０７、ストレージ１０８を備えたコンピュータである。
【００６０】
ＣＰＵ１０１は、ＲＯＭ１０２やＲＡＭ１０３に格納されたプログラムやデータなどを用いて各種の演算処理を実行する処理装置である。ＲＯＭ１０２は、コンピュータに各機能を実現させるための基本プログラムや環境ファイルなどを記憶する読み取り専用の記憶装置である。ＲＡＭ１０３は、ＣＰＵ１０１が実行するプログラムおよび各プログラムの実行に必要なデータを記憶する主記憶装置であり、高速な読み出しと書き込みが可能である。入出力インターフェース１０４は、各種のハードウェアとシステムバス１０５との接続を仲介する装置である。システムバス１０５は、ＣＰＵ１０１、ＲＯＭ１０２、ＲＡＭ１０３および入出力インターフェース１０４で共有される情報伝達路である。
【００６１】
また、入出力インターフェース１０４には、入力装置１０６、表示装置１０７、ストレージ１０８などのハードウェアが接続されている。入力装置１０６は、オペレータによる入力を処理する装置であり、例えばキーボードやマウスである。上述した各部の処理は、入力装置１０６からの入力を起点として実行される。表示装置１０７は、例えばディスプレイである。ストレージ１０８は、プログラムやデータを蓄積する大容量の補助記憶装置であり、例えばハードディスク装置や不揮発性の半導体メモリなどである。
【００６２】
以上、本発明の実施の形態について説明したが、本発明は、上記の実施の形態に限定されるものではなく、本発明の趣旨を逸脱しない範囲で種々変形して実施することができる。
【符号の説明】
【００６３】
１  被圧延材
２  熱間圧延ライン
３  情報ネットワーク
４  制御ネットワーク
５  圧延計算機
６  下位コントローラ（プログラマブルロジックコントローラ）
７  設備機器
８  冷却水スプレーバルブ
９  計算機ＩＦ装置
１０  ＣＴＣ計算機（巻取温度制御計算機）
１１  トラッキング部
１２  ＣＴＣ設定計算部
２０  計算機間通信経路
２１  加熱炉
２２  粗圧延機
２３  仕上圧延機
２４  搬送テーブル
２５  コイラー
２６  ＦＤＴセンサ
２７  ＭＴセンサ
２８  ＣＴセンサ
２９  速度センサ
３０  センサ
４１〜４４  ノードＡ〜ノードＤ
１０１  ＣＰＵ（Central Processing Unit）
１０２  ＲＯＭ（Read Only Memory）
１０３  ＲＡＭ（Random Access Memory）
１０４  入出力インターフェース
１０５  システムバス
１０６  入力装置
１０７  表示装置
１０８  ストレージ
２４１  冷却装置
４１０〜４４０  コモンメモリ
【図１】
2019021470.tif 000003
【図２】
2019021470.tif 000004
【図３】
2019021470.tif 000005
【図４】
2019021470.tif 000006
【図５】
2019021470.tif 000007
【図６】
2019021470.tif 000008
【図７】
2019021470.tif 000009
【図８】
2019021470.tif 000010
【国際調査報告】
2019021470.tif 000011
2019021470.tif 000012